(57)【要約】  【課題】  遊技機の部品を交換する不正行為の点検作業を簡略化することを目的とする  【解決手段】  この遊技機チェックシステムでは、各ＩＣタグから受信した識別情報（ＩＰアドレス）に基づいて作成した判定情報と、予め作成した判定情報とを比較して（Ｓ３０）、監視対象の部品のいずれかに部品を交換する不正行為があったと判定する（Ｓ３２）ことができる。そのため、この遊技機チェックシステムを用いると、複数の部品の一つ一つが正当品か否かを判定しなくても、複数の部品について不正行為があったかまとめて判定することができるので、パチンコ機の部品を一つ一つ点検する場合に比べて、パチンコ機の部品を交換する不正行為の点検作業を大幅に簡略化することができる。【選択図】図８
2010142476.tif 000002
【特許請求の範囲】
【請求項１】
遊技機を構成する監視対象の各部品に取り付けられるＩＣタグと、
前記各ＩＣタグと無線通信可能な読取手段と、
前記読取手段が前記各ＩＣタグと無線通信して前記各ＩＣタグから受信した前記各ＩＣタグの識別情報に基づいて、前記各ＩＣタグの識別情報をまとめた判定情報を作成する判定情報作成手段と、
前記判定情報に対応する基準情報を入力する基準情報入力手段と、
前記判定情報作成手段で作成した前記判定情報と、前記基準情報入力手段で入力した前記基準情報とにより、前記各部品が監視対象の部品か否かを判定する判定手段と、
を備えることを特徴とする遊技機チェックシステム。
【請求項２】
請求項１に記載の遊技機チェックシステムにおいて、
前記遊技機は、前記基準情報が記録された記録手段を備えることを特徴とする遊技機チェックシステム。
【請求項３】
請求項２に記載の遊技機チェックシステムにおいて、
前記基準情報入力手段は、前記記録手段に記録された前記基準情報を入力することを特徴とする遊技機チェックシステム。
【請求項４】
請求項１〜３のいずれかに記載の遊技機チェックシステムにおいて、
前記判定情報は、数字で示された前記各識別情報から求めたチェックサムであることを特徴とする遊技機チェックシステム。
【請求項５】
請求項１〜４のいずれかに記載の遊技機チェックシステムにおいて、
前記遊技機は、
前記ＩＣタグが配置された位置から当該遊技機内を通り、当該遊技機の正面側及び／  又は背面側に至る無線通信可能な無線通信経路を有することを特徴とする遊技機チェッ  クシステム。
【請求項６】
請求項５に記載の遊技機チェックシステムにおいて、
前記遊技機には、
前記無線通信経路の位置を示すマークが印されていることを特徴とする遊技機チェックシステム。
【請求項７】
請求項５，６のいずれかに記載の遊技機の遊技機チェックシステムにおいて、
前記ＩＣタグは、
前記読取手段と無線通信する通信方向が、前記無線通信経路を介することで前記遊技機の正面側にも、前記遊技機の背面側にも向く位置に配置されていることを特徴とする遊技機チェックシステム。
【発明の詳細な説明】
【技術分野】
【０００１】
本発明は、遊技機を構成する部品を交換する不正行為の発見を容易にする遊技機チェックシステムに関する。
【背景技術】
【０００２】
遊技機を構成する部品を交換する不正行為としては、遊技機のプログラムが記録されたＲＯＭの交換や、入賞口に入ったパチンコ玉を検出するセンサの交換や、前述したＲＯＭが備えられた主基板と通信するための通信コネクタの交換など、様々な種類がある。
【０００３】
このような不正行為を発見するため、例えば特許文献１では、ＲＯＭを備える主基板にＩＣタグを取り付けておき、上記不正行為を発見する点検作業を行う際には、このＩＣタグの識別情報をＩＣタグリーダで読み取り、この読み取った識別情報を予め記録しておいた識別情報と照らし合わせて、主基板が正規なものか否かを判定していた。
【特許文献１】特開２００４−２４４４９号公報
【発明の開示】
【発明が解決しようとする課題】
【０００４】
しかし、引用文献１のような方法で不正行為の監視対象となるすべての部品について不正行為を発見しようとすると、点検作業の前に、これらすべての部品に取り付けられたＩＣタグの識別情報のひとつひとつを予め記録しておく必要がある。
【０００５】
そして、点検作業の際には、部品一つ一つから識別情報を読み取って、その読み取った識別情報と、予め記録しておいた識別情報とをいちいち照らし合わせる、手間がかかる作業を要していた。
【０００６】
そこで本発明では、監視対象の部品を交換する不正行為の点検作業の作業効率を、各部品を一つ一つ点検する場合に比べて、大幅に改善することを目的とする。
【課題を解決するための手段】
【０００７】
上述した問題を解決するためになされた発明である請求項１に記載された遊技機チェックシステムは、遊技機を構成する監視対象の各部品に取り付けられるＩＣタグと、前記各ＩＣタグと無線通信可能な読取手段と、前記読取手段が前記各ＩＣタグと無線通信して前記各ＩＣタグから受信した前記各ＩＣタグの識別情報に基づいて、前記各ＩＣタグの識別情報をまとめた判定情報を作成する判定情報作成手段と、前記判定情報に対応する基準情報を入力する基準情報入力手段と、前記判定情報作成手段で作成した前記判定情報と、前記基準情報入力手段で入力した前記基準情報とにより、前記各部品が監視対象の部品か否かを判定する判定手段と、を備えることを特徴とする。
【０００８】
本発明では、遊技機に取り付けられた各部品の監視を行うため、そのための基準情報を作成し、点検作業などの監視作業時に、部品に取り付けられたＩＣタグから識別情報を読み取り、これら識別情報に基づいて作成した判定情報と、基準情報とを比較している。そして、この比較により、各部品が監視対象の部品か否かを判定している。そのため、例えば、判定情報と基準情報との一致不一致の結果を見て、部品の不正な交換を監視する場合、もし部品が不正に交換されると、判定情報と基準情報とが一致しないので、不正な部品の交換が行われたか否かを即時に判定できるのである。
【０００９】
従って、この発明を用いると、監視対象の各部品のすべてが正当品であるか否かをまとめて判定することができるので、監視対象の部品を交換する不正行為の点検作業の作業効率を、各部品を一つ一つ点検する場合に比べて、大幅に改善することができる。具体的には、従来は、監視対象の各部品が正当なものか否か確認するため、監視対象の各部品に一つずつ取り付けられた各ＩＣタグから識別情報を読み込み、この識別情報が読み込まれるたびに、監視対象の各部品が正当なものか否かを確認する作業を行わねばならなかった。そのため、ＩＣタグが５つあれば、この作業を５回行わなければならなかった。これに対し、本願発明を用いると、各ＩＣタグから識別情報を５つ読み込めば、これらの情報が一つにまとめられ、このまとめられた判定情報と基本情報とを照らし合わせることで、監視対象の各部品が正当品であるか否かを確認することができるので、監視対象の各部品が正当なものか否かを確認する作業を１回行うだけで済む。そのため、本願発明を用いれば、監視対象の各部品が正当品であるか否かを確認する作業の作業効率を大幅に改善することができる。
【００１０】
尚、識別情報としては、ＩＣタグ毎にユニークな情報であればどのような情報（例えば、台番号など）を用いてもよいが、製造段階でＩＣタグに記憶されているＩＰアドレスを用いてもよい。
【００１１】
また、判定情報としては、例えば、全ての識別情報が正しいと所定の値となり、一つでも識別情報が違っていると所定の値とならない情報である。
【００１２】
さらに、本発明の遊技機チェックシステムは、工場から出荷するとき等に監視対象の各部品が取り付けられているか否かなどの製品チェックなどに用いてもよい。
【００１３】
次に、請求項２に記載したように、基準情報については、遊技機に記録手段を設け、この記録手段に記録してもよい。具体的には、記録手段として判定情報が記録されたシールなどを用い、このシールを遊技機に添付してもよい。また、記録手段としてＩＣタグを用い、このＩＣタグを遊技機に添付するとともに、ＩＣタグに基本情報を記録してもよい。このＩＣタグを用いれば、視覚的に基本情報を読み取れないので、偽造等をより行いにくくすることができる。
【００１４】
次に、請求項３に記載したように、遊技機に記録手段を設ける場合、基準情報入力手段は、この記録手段に記録された基準情報を読み込み可能に構成するとよい。具体的には、バーコード化した判定情報を記録手段に記録し、基準情報入力手段としてバーコードリーダを用いて、記録手段から基準情報を入力するようにするとよい。
【００１５】
このようにすると、記録手段に記録された基準情報を基準情報入力手段に入力させるとともに、各ＩＣタグに記憶された識別情報を読取手段に読み込ませるだけの簡単な作業で、各遊技機の部品を交換する不正行為を発見することができる。
【００１６】
尚、請求項４に記載したように、判定情報は、例えば数字で示された各識別情報から求めたチェックサムであることが好ましい。具体的には、識別情報としてＩＰアドレスを用いる場合、各ＩＰアドレスの全体、あるいは、所定の桁の数字の和を求めて、この和をチェックサムとしてもよい。
【００１７】
次に、請求項５に記載したように、遊技機は、ＩＣタグが配置された位置から遊技機内を通り、遊技機の正面側及び／又は背面側に至る無線通信可能な無線通信経路を有することが好ましい。
【００１８】
遊技機が、この無線通信経路を有していると、遊技機を開いたときはもちろん、遊技機を開けなくても、監視対象の部品から識別情報を受信できるので、遊技機の部品を交換する不正行為の点検作業を、遊技機の表裏いずれの側からでも簡便に行うことができる。
【００１９】
尚、無線通信経路は、その経路上に金属などの無線通信を妨害するものがないものであれば、その経路上に物が配置されていてもよい。
【００２０】
次に、請求項６に記載したように、遊技機には、無線通信経路の位置を示すマークが印されていることが好ましい。このマークあるいはマークの近傍に読取手段を配置すれば、ＩＣタグから送信された識別情報を読取手段で確実に受信できるからである。
【００２１】
ところで、請求項５に記載したように遊技機の正面側及び背面側に至る無線通信可能を形成しても、ＩＣタグが遊技機の正面側あるいは背面側のいずれか一方のみとしか通信できないように配置されていれば、遊技機の正面側及び背面側の両方側と通信できない。
【００２２】
そこで、請求項７に記載したように、ＩＣタグは、読取手段と無線通信する通信方向が、無線通信経路を介することで遊技機の正面側にも、遊技機の背面側にも向く位置に配置されていることが好ましい。
【００２３】
このようにすると、遊技機の正面側及び背面側のいずれの側とも確実に通信できるので、不正な部品交換の点検作業を、遊技機の正面側及び背面側のいずれからでも行うことができる。
【発明を実施するための最良の形態】
【００２４】
次に、本発明が適用された実施形態について図面を用いて説明する。
【００２５】
本実施形態の遊技機チェックシステムは、パチンコ機（本発明の遊技機に相当する）を構成する監視対象の各部品にＩＣタグを取り付け、ＩＣタグリーダで各ＩＣタグのユニーク情報を受信し、受信したこのユニーク情報を利用して、監視対象の各部品の不正な交換がないか判定する、ＲＦＩＤ（Ｒａｄｉｏ  Ｆｒｅｑｅｎｃｙ  ＩＤｅｎｔｉｆｉｃａｔｉｏｎ）の技術を利用したシステムである。
【００２６】
以下、この遊技機チェックシステムが適用されたパチンコ機や、遊技機チェックシステムで使用されるＩＣタグリーダ等の構成や、ＩＣタグリーダで実行される照合処理等について順次説明する。
＜１．パチンコ機について＞
パチンコ機の説明に当り下記の図面を使用する。
【００２７】
図１は、パチンコ機本体の正面図で、遊技域が設けられた部分のみを示す図である。
【００２８】
図２は、パチンコ機本体の背面図で、正面側で遊技域が設けられた部分の背面のみを示す図である（点線は遊技域を示し、一点鎖線は正面側に設けられたものを示している）。
《１−１．パチンコ機の全体構造》
本実施形態の遊技機チェックシステムが適用されたパチンコ機について説明する。
【００２９】
本実施形態で用いられるパチンコ機は、外枠と、この外枠に嵌めこまれたパチンコ機本体とを備え、パチンコ機本体が外枠に対して回動する周知の構造を有している。
【００３０】
そして、本実施形態のパチンコ機は、外枠を遊技島に固定することによって遊技島に取り付けると、パチンコ機本体が遊技島に対して開閉可能に取り付けられる。
《１−２．パチンコ機本体１》
このパチンコ機を構成するパチンコ機本体１の正面側（遊技者に対向する側）の面上には、図１に示すように、遊技域１０が形成されている。この遊技域１０には、複数の釘１１や入賞口装置１２などの各種部品が取り付けられ、遊技域１０の右下部分には、チェックシール８が添付される。そして、この遊技域１０は後述するガラス板１３，１４（図５参照）で覆われている。
【００３１】
一方、パチンコ機本体１の背面側（遊技島の内部に対向する側）の面上であって、正面側の遊技域１０が形成された部分に相当する部分には、図２に示すように、後述する制御用ボックス２や、パチンコ機が外部コンピュータと通信するための中継コネクタ５、入賞口装置１２に入賞したパチンコ球を検出する始動センサ６などが取り付けられている。
【００３２】
そして、これら制御用ボックス２、中継コネクタ５、及び、始動センサ６等には、後述するＩＣタグが取り付けられている。
【００３３】
また、パチンコ機本体１の遊技域１０には、図１に示すように、パチンコ機本体１の正面側に後述するＩＣタグリーダ９を配置した場合に、これら各部品２，５，６等に取り付けられたＩＣタグと通信可能な位置を示す複数のマークＭが印されている。
＜２．制御用ボックス２＞
次に、図３を用いて制御用ボックス２について説明する。
【００３４】
ここで図３は、制御用ボックス２の斜視図である。
【００３５】
制御用ボックス２は、図３に示すように、透明な強化プラスチックで形成された箱部２０を備えており、この箱部２０内には、主基板３０と副基板４０とが収納されている。
【００３６】
このうち、主基板３０上には、パチンコ機全体を制御する処理を実行する素子であるＭＰＵ３２、その他の素子３４，３６が組みつけられている。これら各素子３２〜３６は、主基板３０の表裏の各面のうち表面（パチンコ機本体１の背面側）上に組みつけられている。
【００３７】
そして、この主基板３０には、さらに、パチンコ機に取り付けられた中継コネクタ５（図２参照）と通信する通信ケーブルＣ１の雄コネクタＣＣ１を接続するための雌コネクタ３８が取り付けられている。この雌コネクタ３８は、雄コネクタＣＣ１を挿入する図示しない挿入孔が箱部２０の外部表面上で開口するように、主基板３０及び箱部２０に対して組みつけられている。
【００３８】
副基板４０上には、後述するトランスポンダ４２や、その他の素子４４等が組みつけられている。この副基板４０は、主基板３０の表面の４つの辺のうち、一対の長い辺の一方の辺に添って長尺に形成され、この一方の長い辺の辺部から主基板３０の表面に対して垂直に立設されている。
【００３９】
そして、各素子４２〜４４は、副基板４０の表裏の各面のうち、主基板３０の側である裏面とは反対側の表面上に組みつけられている。
【００４０】
次に、図４を用いてさらに制御用ボックス２について詳細に説明する。
【００４１】
ここで、図４（ａ）は、図３中でＡ−Ａ’断面であって、主基板３０及び副基板４０に対して垂直で、この副基板４０上に設置されたトランスポンダ４２の中心部分Ｋを通る断面図で、図４（ｂ）は、箱部２０の断面の拡大図で、具体的には図４（ａ）中の符号αで表した部分の拡大図、図４（ｃ）は、素子４２の断面の拡大図で、具体的には図４（ａ）中の符号βで表した部分の拡大図である。
【００４２】
主基板３０及び副基板４０は、図４（ａ）に示すように、箱部２０の内壁に直接接触しないように、箱部２０内に収納されている。
【００４３】
具体的には、主基板３０が、その裏面上に複数のピン形状の脚部３１を有し、この脚部３１を用いて主基板３０を箱部２０内で立脚させることによって、主基板３０及び副基板４０は、箱部２０内に収納されている。主基板３０及び副基板４０は、この脚部３１でのみ箱部２０に対して固定され、他の部分では箱部２０に対して接触しない状態で箱部２０内に収納されている。
【００４４】
箱部２０は、図４（ｂ）に示すように、２層構造を有しており、箱を形成する透明な強化プラスチック層２１と、この強化プラスチック層２１の内側に積層された透明な遮蔽層２２とからなる。
【００４５】
遮蔽層２２は、トランスポンダ４２の通信信号の周波数に比べ相対的に高い周波数の電波を遮断する材料（例えば、フィルムに鉄分を含ませ、この鉄分が形どる模様によって、特定の周波数の電波だけを遮断するもの。）で構成されている。
【００４６】
トランスポンダ４２は、図４（ｃ）に示すように、ソケット４２ａ及びモールドケース４２ｂを介して副基板４０に取り付けられる。
【００４７】
このトランスポンダ４２は、自分のＩＰアドレス等を記憶するＩＣタグを備えている。
【００４８】
このＩＣタグは、送受信回路、制御回路、メモリ等からなる半導体、及び、アンテナを備えており、後述するＩＣタグリーダからの質問電波を受信すると、この質問電波が有するエネルギーを電気エネルギーとして使用し、メモリに記憶されているＩＰアドレスその他の情報を乗せた電波を応答電波として送信するものである。
【００４９】
以上のように構成された制御用ボックス２は、主基板３０が脚部３１を介して箱部２０に取り付けられた側の面が、パチンコ機の背面に対向するように、パチンコ機本体１に取り付けられる。
【００５０】
このように制御用ボックス２がパチンコ機本体１に取り付けられると、トランスポンダ４２は、パチンコ機本体１の背面に対して垂直な状態で配置される。このとき、トランスポンダ４２は、パチンコ機本体１の遊技域１０を覆うガラス面に対しても垂直な状態で配置される。そのため、トランスポンダ４２の通信方向は、パチンコ機本体１の正面側及び背面側にも向くので、本実施形態では、パチンコ機本体１の背面側からはもちろん、パチンコ機本体１に設けられた後述する無線通信経路を介してパチンコ機本体１の正面側からでも、後述するＩＣタグリーダとトランスポンダ４２との間で通信ができる。
【００５１】
本実施形態では、詳細な説明については省略するが、副基板４０に備えられたトランスポンダ４２の他に、制御用ボックス２に対して接続される通信ケーブルＣ１の雄コネクタＣＣ１にも、図示しないトランスポンダが取り付けられている。
【００５２】
また、中継コネクタ５、始動センサ６、及び、制御用ボックス２に接続された通信ケーブルＣ１を中継コネクタ５に接続するためのコネクタ５０（以上図２参照）にもトランスポンダが取り付けられている。
【００５３】
この雄コネクタＣＣ１、中継コネクタ５、始動センサ６、及び、コネクタ５０に取り付けられたトランスポンダも、制御用ボックス２に備えられたトランスポンダ４２と同様に、雄コネクタＣＣ１、中継コネクタ５、始動センサ６、及び、コネクタ５０がパチンコ機本体１上で固定されたとき、パチンコ機の背面に対して垂直な状態で配置される。
【００５４】
そして、これらトランスポンダも、パチンコ機本体１の裏側からはもちろん、各トランスポンダごとにパチンコ機本体１に設けられた後述する無線通信経路を介してパチンコ機本体１の表側からでも、後述するＩＣタグリーダ９（図７参照）との間で通信ができる。
【００５５】
尚、上述した制御用ボックス等に取り付けられたトランスポンダを、以下ＩＣタグと呼ぶ。またトランスポンダ４２については、ＩＣタグ４２と呼ぶ。
＜３．無線通信経路＞
次に、副基板４０、雄コネクタＣＣ１、中継コネクタ５、始動センサ６、及び、コネクタ５０に取り付けられた各ＩＣタグと、パチンコ機の表側からＩＣタグリーダとの間で通信するためパチンコ機本体１に設けられた無線通信経路のうち、副基板４０に対するものについて代表して説明する。
【００５６】
ここで、図５は、パチンコ機本体１に取り付けた制御用ボックス２及びパチンコ機本体１について、図４と同じ図３のＡ−Ａ’断面で切断した断面図である。
【００５７】
パチンコ機本体１は、図５に示すように、表側から、外部ガラス板１３、内部ガラス板１４、遊技盤１５、背面板１６が、所定間隔ずつ空けて配置されている。
【００５８】
このうち遊技盤１５は、この遊技盤１５の基礎となるベニア板１５ａが最も背面側に配置され、このベニア板１５ａの正面側にセル板１５ｂが積層され、さらにこのセル板１５ｂの正面側に透明な樹脂パネル１５ｃが積層されている。
【００５９】
背面板１６は、金属板で構成されている。そして、この背面板１６のうち、制御用ボックス２が取り付けられたとき、副基板４０に取り付けられたＩＣタグ４２から背面板１６に垂直に向かった位置には、所定の大きさの通信孔１６ａが形成されている。そのため、この通信孔１６ａを介することで、パチンコ機本体１の表側からＩＣタグ４２と通信することができる。
【００６０】
つまり、ＩＣタグ４２から、この通信孔１６ａを通って最短距離でパチンコ機本体１内を通過してパチンコ機本体１の表側に至る部分が、ＩＣタグ４２の無線通信経路７である。
【００６１】
そしてセル板１５ｂがこの無線通信経路７と交差する部分には、図１に示すように、そこが無線通信経路７であることを示すマークＭが表示されている。
【００６２】
また、雄コネクタＣＣ１、中継コネクタ５、コネクタ５０、始動センサ６に取り付けられたＩＣタグからパチンコ機本体１内を通り、パチンコ機本体１の正面側に至る金属を通らない無線通信経路７上であって、セル板１５ｂと交差する部分にも、マークＭが表示される。また、マークＭは、認識ができるデザインであれば何でもよい。
【００６３】
尚、無線通信経路７は、図５に示すように、パチンコ機本体１の正面側から、パチンコ機本体１を通り、且つ、制御用ボックス２に収納された主基板３０を通らずに、ＩＣタグ４２に至るものであり、他に、金属板で構成された背面板１６や、図示しないパチンコ機本体１内に備えられた基板をも通らないものである。
【００６４】
また、上記パチンコ機本体１は、パチンコ機本体１の背面側でも通信できるように、パチンコ機本体１の背面側にも金属等が配置されていない無線通信経路を有している。
＜４．チェックシール８＞
次に、遊技域１０に貼り付けられるチェックシール８について説明する。
【００６５】
ここで、図６（ａ）は、チェックシールの平面図であり、図６（ｂ）は、チェックサムについての説明図である。
【００６６】
チェックシール８は、図６（ａ）に示すように、遊技域１０の右下隅に（図２参照）添付され、制御用ボックス２の副基板４０、雄コネクタＣＣ１、中継コネクタ５、コネクタ５０、始動センサ６（以下「副基板４０等」という）に取り付けられたＩＣタグの数（ここでは「５」を指す）、及び、チェックサムを示す数字（ここでは「０３６」を指す）、これらを示す二次元バーコード８０が印刷されている。
【００６７】
本実施形態では、ユニーク情報として、図６（ｂ）に示すように、各ＩＣタグに記憶されているＩＰアドレスを２進数に直したときの頭の８桁を用いている。
【００６８】
そして、このユニーク情報からチェックサムを求める場合、各ユニーク情報の各桁の和を求め、その和の１桁目の数値をチェックサム用のその桁の数値としている。例えば、図６（ｂ）中の一番左端の桁の和は１０だから、その１桁目の０を、チェックサムのその桁の数値としている。
【００６９】
このようにしてチェックサムを求めたら、このチェックサムを１０進数化し、この１０進数化した数字を、チェックサムを示す数字として、チェックシール８に予め印字している。
【００７０】
そして、本実施形態では、１０進数化したチェックサムが０３６なので、図６（ａ）に示すように、チェックシール８には、チェックサムとして０３６が印刷されている。
＜５．ＩＣタグリーダ９＞
次に、本実施形態で用いられるＩＣタグリーダ９について説明する。
【００７１】
ここで図７は、ＩＣタグリーダの内部構造を示す模式図である。
【００７２】
ＩＣタグリーダ９は、図７に示すように、ＣＰＵ９０ａ、ＲＯＭ９０ｂ、ＲＡＭ９０ｃ等を備えるコンピュータ装置である中央制御装置９０と、各ＩＣタグとの通信を行う通信装置９１とを備えている。
【００７３】
また、ＩＣタグリーダ９は、チェックシール８に印刷された二次元バーコード８０を読み取るスキャナ９２と、後述する照合処理で用いられる画像を表示するモニタ９３と、ＩＣタグの数や、チェックサム等を入力するためのテンキー９４とを備えている。
【００７４】
そして、中央制御装置９０は、バス９９を介して通信装置９１、スキャナ９２、及び、モニタ９３と通信可能に接続され、これら通信装置９１、スキャナ９２、及び、モニタ９３等は、後述する照合処理を実行する中央制御装置９０によって制御される。
【００７５】
このうち、テンキー９４は、図示しない０〜９までの数字を示すキーや、操作した数字を示すキーの入力の確定を指示する入力キーなど、複数のキーからなるものである。
＜６．照合処理＞
次に、中央制御装置９０で実行される照合処理について説明する。
【００７６】
尚、以下の説明では、この照合処理は、特に示された場合を除いてステップ番号の小さいものから順に処理が実行されるものとする。
【００７７】
図８は、中央制御装置９０で実行される照合処理のフローチャートである。
【００７８】
この照合処理は、ＩＣタグリーダ９の図示しないスタートスイッチがＯＮされると開始され、まず、ステップ（以下単に「Ｓ」という）１０の処理が実行される。
【００７９】
Ｓ１０では、パチンコ機に取り付けられたＩＣタグの数及びチェックサムの入力方法をユーザーに問い合わせる「入力方法は？  １：テンキー、３：バーコード」という画像をモニタ９３に表示する処理が実行される。
【００８０】
Ｓ１２では、ＩＣタグの数及びチェックサムの入力をテンキー９４で行うか、二次元バーコード８０の読み込みで行うか、いずれを選択したかを判定する処理が実行される。
【００８１】
この判定（Ｓ１２）では、テンキー９４の数字１のキーが操作された後、テンキー９４の入力キーが操作された場合、テンキー９４による入力が選択されたと判定され（Ｓ１２：テンキー）、次に、Ｓ１４の処理が実行される。
【００８２】
一方、この判定（Ｓ１２）では、テンキー９４の数字３のキーが操作された後、入力キーが操作された場合、バーコードによる読み込みが選択されたと判定され（Ｓ１２：バーコード）、次に、Ｓ２２の処理が実行される。
【００８３】
Ｓ１４では、ＩＣタグの数の入力をユーザーに促す「ＩＣタグの数を入力してください」という画像をモニタ９３に表示する処理が実行される。この処理が実行されると、ユーザーは、チェックシール８を見ながらテンキー９４を操作して、ＩＣタグの数を入力する。
【００８４】
Ｓ１６では、このＩＣタグの数の入力がテンキー９４に対して行われたか判定する処理が実行される。この処理（Ｓ１６）では、ＩＣタグの数を示す数字のキー（本実施形態では「５」）が操作された後、入力キーが操作されたか否かが判定される。
【００８５】
この判定（Ｓ１６）で、ＩＣタグの数が入力されたと判定されたら（Ｓ１６：ＹＥＳ）、中央制御装置９０のＲＡＭ９０ｃにＩＣタグの数を示す情報が記憶され、次にＳ１８の処理が実行される。一方、ＩＣタグの数が入力されていないと判定されたら（Ｓ１６：ＮＯ）、繰り返しＳ１６の処理を実行して待機する処理が実行される。
【００８６】
Ｓ１８では、チェックサムの入力をユーザーに促す「チェックサムを入力してください」という画像をモニタ９３に表示する処理が実行される。この処理が実行されると、ユーザーは、チェックシール８を見ながらテンキー９４を操作して、チェックサムの数を入力する。
【００８７】
Ｓ２０では、このチェックサムの入力がテンキー９４で行われたか判定する処理が実行される。この処理（Ｓ２０）では、チェックサムを示す数字のキー（本実施形態では「０３６」）が操作された後、入力キーが操作されたか否かが判定される。
【００８８】
この判定（Ｓ２０）で、チェックサムが入力されたと判定されたら（Ｓ２０：ＹＥＳ）、中央制御装置９０のＲＡＭ９０ｃにチェックサムを示す情報が記憶され、次にＳ２６の処理が実行される。一方、チェックサムが入力されていないと判定されたら（Ｓ２０：ＮＯ）、待機する処理が実行される。
【００８９】
次に、Ｓ１２の判定で、バーコードによる読み込みが選択されたと判定され（Ｓ１２：バーコード）たときに実行されるＳ２２の処理について説明する。
【００９０】
Ｓ２２では、スキャナ９２（図７参照）を用いてチェックシール８の二次元バーコードの読み込みをユーザーに促す「バーコードを読込んでください」という画像をモニタ９３に表示する処理が実行される。この処理（Ｓ２２）が実行されると、ユーザーは、スキャナ９２をチェックシール８の二次元バーコード８０に向けて、ＩＣタグリーダ９に二次元バーコード８０を読み込ませる操作を行う。
【００９１】
Ｓ２４では、スキャナ９２を用いてチェックシール８に記された二次元バーコード８０が読み込まれたか判定する処理が実行される。
【００９２】
この判定（Ｓ２４）で、二次元バーコード８０が読み込まれたと判定されたら（Ｓ２４：ＹＥＳ）、二次元バーコード８０として記録されたＩＣタグの数とチェックサムに関する情報が中央制御装置９０のＲＡＭ９０ｃに記憶され、次にＳ２６の処理が実行される。
【００９３】
一方、二次元バーコード８０が読み込まれていないと判定されると（Ｓ２４：ＮＯ）、待機する処理が実行される。
【００９４】
以上の処理で、ＩＣタグの数及びチェックサムが入力されると、次に、パチンコ機本体１を構成する各部品（制御用ボックス２等）に取り付けられた各ＩＣタグからＩＰアドレスを受信する処理が実行される。
【００９５】
まず、Ｓ２６の処理が実行され、「リーダーを読込位置に配置してください」という画像をモニタ９３に表示する処理が実行される。すると、ユーザーは、図１に示すように、ＩＣタグリーダ９を各マークＭから略等距離にある読込位置９ａに配置して、各ＩＣタグからＩＰアドレスを読み取る操作を実行する。
【００９６】
Ｓ２８では、図８に示すように、ＩＣタグリーダ９がＲＡＭ９０ｃに記憶されたＩＣタグの数と同じ数のＩＣタグから、ＩＰアドレスを受信したか判定する処理が実行される。
【００９７】
このＳ２８で、ＲＡＭ９０ｃに記憶された数と同じ数のＩＣタグからＩＰアドレスを受信した場合（Ｓ２８：ＹＥＳ）、警告音が報知され、Ｓ３０の処理が実行される。一方、ＲＡＭ９０ｃに記憶された数と同じ数のＩＣタグからＩＰアドレスを受信していない場合（Ｓ２８：ＮＯ）は、待機する処理が実行される。
【００９８】
Ｓ３０では、各ＩＣタグから読込んだＩＰアドレス中のユニーク情報からチェックサムが求められる（図６参照）。
【００９９】
Ｓ３２では、Ｓ３０で算出されたチェックサムと、Ｓ１８あるいはＳ２４で入力されたチェックサムとを比較する処理が実行される。そして、これらのチェックサムが一致しなかった場合（Ｓ３２：ＹＥＳ）は、Ｓ３４の処理が実行され、「不正が行われた可能性があります」という画像をモニタ９３に表示する処理が実行される。
【０１００】
一方、Ｓ３２で、Ｓ３０の判定でチェックサムが一致した場合は（Ｓ３２：ＮＯ）、Ｓ３６の処理が実行されて、「異常ありません」という画像をモニタ９３に表示する処理が実行される。
【０１０１】
そして、Ｓ３４あるいはＳ３６の処理が実行された後、所定時間経過すると、次にＳ３８の処理が実行される。
【０１０２】
Ｓ３８では、次の遊技機の検査を促す処理、すなわち、「次の遊技機を検査しますか？」という画像をモニタ９３に表示する処理が実行される。
【０１０３】
Ｓ４０では、次の遊技機を検査することを示す入力がテンキー９４に対して行われたか否か、具体的には、Ｓ３８の処理に伴う画像が表示されている間にテンキー９４の入力キーが押下されたか否かが判定される。
【０１０４】
Ｓ４０で、検査することを示す入力が行われたと判定されると（Ｓ４０：ＹＥＳ）、Ｓ４２の処理が実行され、Ｓ３８の処理による画像の表示が開始されてから所定時間経過するまでにテンキー９４の入力キーの操作がないと（Ｓ４０：ＮＯ）、本照合処理は終了する。
【０１０５】
Ｓ４２では、入力方法の変更があるか問い合わせる処理が行われ、具体的には、モニタ９３に「入力方法変更？」と表記された画像を５秒間表示する処理が実行される。
【０１０６】
Ｓ４４では、Ｓ４２による画像が表示されているときにテンキー９４の入力キーが押下されているか否か判定する処理が実行され、入力キーが押下されれば（Ｓ４４：ＹＥＳ）、再びＳ１２の処理が実行される。一方、入力キーが押下されなければ（Ｓ４４：ＮＯ）、Ｓ１２で入力されたキーに基づき、Ｓ１４あるいはＳ２２の処理が実行される。
【０１０７】
具体的には、Ｓ１２でテンキー９４によるＩＣタグの数の入力を選択していた場合には、Ｓ１４の処理が実行され、Ｓ１２でバーコードの読込みによるＩＣタグの数等の入力を選択していた場合には、Ｓ２２の処理が再び実行される。
＜７．実施形態に係る遊技機チェックシステムの特徴＞
本実施形態の遊技機チェックシステムでは、監視対象の各部品２等のすべてが正当品であることをまとめて判定可能なチェックサムを予め作成しておき、この予め作成したチェックサムと、点検作業時に各ＩＣタグ４２等から受信したＩＰアドレスに含まれるユニーク情報に基づいて作成したチェックサムとを比較している。そして、この比較をしたとき、監視対象の各部品の中に一つでも部品を交換する不正行為があったら、これらチェックサムの間に齟齬が生じるので、この齟齬が生じたか否かにより、監視対象の各部品の中に、部品を交換する不正行為があったか否かを判定している。
【０１０８】
従って、本実施形態では、監視対象の各部品のすべてが正当品であるか否かをまとめて判定することができるので、監視対象の部品を交換する不正行為の点検作業の作業効率を、各部品を一つ一つ点検する場合に比べて、大幅に改善することができる。
【０１０９】
また、本実施形態では、パチンコ機本体１毎に、チェックシール８に印刷された二次元バーコードをＩＣタグリーダ９に読み込ませるとともに、各ＩＣタグに記憶されたＩＰアドレスをＩＣタグリーダ９に読み込ませるだけの簡単な作業で、パチンコ機本体１毎に、各パチンコ機本体１の部品を交換する不正行為を発見することができる。
【０１１０】
また、本実施形態では、パチンコ機本体１が、各ＩＣタグが配置された位置からパチンコ機本体１内を通り、パチンコ機本体１の正面側に至る複数の無線通信経路７を有している。そのため、本実施形態では、不正行為の監視対象の部品からＩＰアドレスを受信するため、パチンコ機本体１を遊技島に対して開かなくても受信できるので、パチンコ機本体１の部品を交換する不正行為の点検作業を、パチンコ機本体１を開けることなく簡便に行うことができる。
【０１１１】
また、本実施形態では、パチンコ機本体１には、無線通信経路７の位置を示すマークが印されている。そのため、このマークのところにＩＣタグリーダ９を配置して、それぞれのＩＣタグと通信すれば、各ＩＣタグから送信されたＩＰアドレスをＩＣタグリーダ９で確実に受信できる。
【０１１２】
また、本実施形態では、図４（ｃ）に示すように、ＩＣタグをパチンコ機本体１の背面に対して垂直に配置したので、パチンコ機本体１の正面側からでも背面側からでも、ＩＣタグリーダ９を用いて、ＩＣタグからＩＰアドレスを読み込むことができる。
＜８．実施形態と発明特定事項との対応関係＞
本実施形態のパチンコ機は、本発明の遊技機に相当する。
【０１１３】
本実施形態のユニーク情報は、本発明の識別情報に相当する。
【０１１４】
本実施形態のＩＣタグリーダ９は、本発明の読取手段に相当する。
【０１１５】
本実地形態のＳ３０の処理で算出されるチェックサムが、本発明の判定情報に相当する。
【０１１６】
本実施形態のチェックシール８に記録されたチェックサムが、本発明の基準情報に相当する。
【０１１７】
本実施形態の中央制御装置９０が実行するチェックサムを作成する処理（Ｓ３０）が、本発明の判定情報作成手段に相当する。
【０１１８】
本実施形態のテンキー９４及びスキャナ９２は、本発明の基準情報入力手段に相当する。
【０１１９】
本実施形態の中央制御装置９０のＳ３２処理が、本発明の判定手段に相当する。
【０１２０】
本実施形態のチェックシール８が、本発明の記録手段に相当する。
＜９．その他の実施形態＞
上記実施形態では、チェックシール８に印刷された二次元バーコード８０を読み込んで、ＩＣタグの数やチェックサムに関する情報をＩＣタグリーダ９に入力する例について説明したが、チェックシール８内にこれらの情報を記録する記録用のＩＣタグを配置して、この記録用のＩＣタグに監視対象の部品に取り付けられたＩＣタグの数やチェックサムに関する情報を記憶させ、これらの情報を記録用のＩＣタグからＩＣタグリーダ９に読み込ませるようにしてもよい。
【０１２１】
上記実施形態では、チェックシール８に印刷された二次元バーコード８０に、チェックサムと、ＩＣタグの数に関する情報を記録したものについて説明したが、照会処理において、チェックサムだけ監視するようにしてもよいので、この場合、二次元バーコード８０としては、チェックサムに関する情報だけを記録したものでもよい。
【０１２２】
上記実施形態では、パチンコ機本体１の背面側に取り付けられた部品にＩＣタグを取り付けた例について説明したが、パチンコ機本体１の内部にＩＣタグを取り付けた場合、無線通信経路７は、パチンコ機本体１の正面側ばかりでなく背面側に配置されたＩＣタグリーダ９と、このＩＣタグとが無線通信できるようにするため、パチンコ機本体１の背面側に向けて形成してもよい。
【０１２３】
上記実施形態では、ユニーク情報として、ＩＰアドレスの最初の８桁を用いたが、ＩＰアドレスの全ての桁を用いてもよい。また、ＩＰアドレス以外の情報を用いてもよいことはもちろんである。
【０１２４】
上記実施形態では、各ＩＣタグ４２から一度にＩＰアドレスを読み込んでいるが（Ｓ２６）、各ＩＣタグ４２から一つずつＩＰアドレスが読み込まれたことを確かめながら、ＩＰアドレスを読み込んでも良い。
【０１２５】
その場合、図９に示すように、主基板３０のＩＣタグ４２からＩＰアドレスを読み込んだときに、ＩＣタグ４２に記録しておいた台番号７０と主基板の番号７１と主基盤のＩＤ７２とに関する情報を読み込み、これらの情報を、ＩＣタグリーダ９のモニタ９３に表示するようにしてもよい。
【０１２６】
本発明は、特許請求の範囲に記載された発明の趣旨に合致するものであればよく、上述の実施形態に限定されるものではない。
【図面の簡単な説明】
【０１２７】
【図１】パチンコ機本体の正面図で、遊技域が設けられた部分のみを示す図である。
【図２】パチンコ機本体の背面図で、正面側で遊技域が設けられた部分の背面のみを示す図である（点線は遊技域を示している）。
【図３】制御用ボックス２の斜視図である。
【図４】図４（ａ）は、図３の中でＡ−Ａ’断面であって、副基板４０に対して垂直で、この副基板４０上に設置された素子４２の表面の中心部分Ｋを通る断面で示した制御用ボックス２の断面図で、図４（ｂ）は、箱部２０の断面の拡大図で、具体的には図４（ａ）中の符号αで表した部分の拡大図、図４（ｃ）は、素子４２の断面の拡大図で、具体的には図４（ａ）中の符号βで表した部分の一部拡大図である。
【図５】パチンコ機本体１に取り付けた制御用ボックス２、及び、パチンコ機について、図４と同じ図３のＡ−Ａ’断面で切断した断面図である。
【図６】図６（ａ）は、チェックシールの平面図であり、図６（ｂ）は、チェックサムについての説明図である。
【図７】ＩＣタグリーダの内部構造を示す模式図である。
【図８】中央制御装置９０で実行される照合処理のフローチャートである。
【図９】主基板に取り付けたＩＣタグから、このＩＣタグに記憶された情報を読み取ったときに、ＩＣタグリーダのモニタに表示される画像の画像図である。
【符号の説明】
【０１２８】
１…パチンコ機本体、２…制御用ボックス、５…中継コネクタ、６…始動センサ、７…無線通信経路、８…チェックシール、９…ＩＣタグリーダ、９ａ…読込位置、１０…遊技域、１１…釘、１２…入賞口装置、１３…外部ガラス板、１４…内部ガラス板、１５…遊技盤、１５ａ…ベニア板、１５ｂ…セル板、１５ｃ…樹脂パネル、１６…背面板、１６ａ…通信孔、２０…箱部、２１…強化プラスチック層、２２…遮蔽層、３０…主基板、３１…脚部、３２〜３６…素子、３８…雌コネクタ、４０…副基板、４２…ＩＣタグ（トランスポンダ）、５０…コネクタ、８０…二次元バーコード、９０…中央制御装置、９１…通信装置、９２…スキャナ、９３…モニタ、９４…テンキー、９９…バス
【図１】
2010142476.tif 000003
【図２】
2010142476.tif 000004
【図３】
2010142476.tif 000005
【図４】
2010142476.tif 000006
【図５】
2010142476.tif 000007
【図６】
2010142476.tif 000008
【図７】
2010142476.tif 000009
【図８】
2010142476.tif 000010
【図９】
2010142476.tif 000011